(57)【要約】本発明は、極低温装置液体を再凝縮するパルスチューブ型冷凍装置に関し、さらに詳細には、磁気共鳴イメージング装置用のかかる冷凍装置に関する。多くの極低温装置において、例えば、磁気共鳴イメージング（ＭＲＩ）用の超伝導コイル、超伝導変圧器、発電機、電子装置のようなコンポーネントは、液化ガス（例えば、ヘリウム、ネオン、窒素、アルゴン、メタン）と接触させることにより冷却される。コンポーネント内の熱の放散または装置内への熱の浸透によりガスが部分的に沸騰するが、損失を補うために補給しなければならない。この補給作業は多くのユーザーにとって面倒なものと考えられ、失われた液体を再凝縮してバスに戻す冷凍装置の開発に長年の間多大な努力が払われている。本発明は、パルスチューブ型冷凍装置内で生じる対流による問題に対処するものである。本発明は、第１の局面において、ＰＴＲが、第１の端部が室温にさらされ、第２の端部が極低温流体に連携するように配置するための極低温装置のハウジングに連携する挿入ソック内で作動可能であり、ＰＴＲのチューブが断熱スリーブにより取り囲まれている、極低温装置内のパルスチューブ型冷凍装置（ＰＴＲ）を提供する。この構成は、対流及びそれに付随する問題を軽減することが証明されている。
2005506508.tif 000002
【特許請求の範囲】
【請求項１】
極低温装置内のパルスチューブ型冷凍装置（ＰＴＲ）であって、ＰＴＲは、第１の端部が室温にさらされ、第２の端部が極低温流体と連携するように配置するための極低温装置のハウジングに連携する挿入ソック内で作動可能であり、ＰＴＲのチューブは断熱スリーブにより取り囲まれているパルスチューブ型冷凍装置。
【請求項２】
二段の再凝縮器であり、スリーブが２つの部分に分かれているため各段が別個に断熱される請求項１のＰＴＲ再凝縮器。
【請求項３】
スリーブがパルスチューブの全てのチューブを取り囲み、スリーブとソックの壁部との間に小さな環状ギャップだけが形成される請求項１または２のＰＴＲ再凝縮器。
【請求項４】
スリーブが薄壁のステンレススティール製チューブ、チタンまたはＧＲＰ、ＣＦＲＰのような複合材料で製造されている請求項１乃至３のうち任意の一項のＰＴＲ再凝縮器。
【請求項５】
スリーブはＧＲＰ、ＣＦＲＰのような複合材料で製造され、金属製ライナーで内張りされている請求項１−３のうち任意の一項のＰＴＲ再凝縮器。
【請求項６】
スリーブ内の空間は真空状態にある請求項１−５の任意の一項のＰＴＲ再凝縮器。
【請求項７】
スリーブ内のパルスチューブと再凝縮器のチューブとの間の空間には断熱材料が充填されている請求項１−５のうち任意の一項のＰＴＲ再凝縮器。
【請求項８】
スリーブは二重壁のスリーブより成る請求項１−７のうち任意の一項のＰＴＲ再凝縮器。
【請求項９】
２つの壁部の間の空間は排気されている請求項８のＰＴＲ再凝縮器。
【請求項１０】
２つの壁部の間の空間には充填材料が充填されている請求項８のＰＴＲ再凝縮器。
【請求項１１】
スリーブの壁部は波形である請求項１−１０のうち任意の一項のＰＴＲ再凝縮器。
【請求項１２】
スリーブは、超断熱材料、薄断熱材料、発泡材料などより成る群から選択された材料により構成され、剛性チューブの周りに配置されている請求項１−３のうち任意の１項のＰＴＲ再凝縮器。
【請求項１３】
磁気共鳴イメージング装置に連携している請求項１−３のうち任意の一項のパルスチューブ型冷凍装置。
【請求項１４】
極低温装置内に設けられ、第１の端部が室温にさらされ、第２の端部が極低温流体と連携するように配置するための極低温装置のハウジングに連携する挿入ソック内で作動可能であり、そのチューブが断熱スリーブにより取り囲まれているパルスチューブ冷凍装置（ＰＴＲ）を用いる方法であって、ＰＴＲのコンポーネントを断熱してＰＴＲのチューブから生じる熱損失を減少させるステップより成る方法。
【請求項１５】
スリーブは２つの部分に分割されている請求項１４の方法。
【請求項１６】
スリーブはパルスチューブの全てのチューブを取り囲み、スリーブとソックの壁部の間に小さな環状ギャップだけが形成される請求項１４または１５の方法。
【請求項１７】
再凝縮器は磁気共鳴イメージング装置に連携している請求項１４乃至１６のうち任意の一項の方法。
【発明の詳細な説明】
【技術分野】
【０００１】
本発明は、極低温液体を再凝縮するパルスチューブ型冷凍装置に関し、さらに詳細には、磁気共鳴イメージングシステム用のかかる冷凍装置に関する。
【背景技術】
【０００２】
多くの極低温装置において、例えば、磁気共鳴イメージング（ＭＲＩ）用超伝導コイル、超伝導変圧器、発電機、電子装置のようなコンポーネントは、液化ガス（例えば、ヘリウム、ネオン、窒素、アルゴン、メタン）に接触させて冷却される。これらのコンポーネントにおいて液化ガスが消散するかシステムに熱が侵入すると、ガスが部分的に沸騰する。この損失を補償するには再充填しなければならない。この保守作業は多くのユーザーにとり面倒なものと考えられており、失われた液体を再凝縮して浴内へ戻す冷凍装置を導入しようとして長年の間多大の努力が傾注されている。
【０００３】
従来技術の一例として、図１に示すＭＲＩ磁石の２段式ギフォード‐マクマホン（ＧＭ）コールドヘッド再凝縮器がある。総括的に１０で示すＧＭコールドヘッドは、保守または修理のために取り外し自在にするために、真空容器の外側表面１６（室温）を４Ｋのヘリウム浴１８に接続するソック(sock)に挿入される。このソックはステンレス鋼製の薄壁チューブであり、室温から極低温のソックの低温端部への熱伝導を最小限に抑えるための第１段スリーブ１２及び第２段スリーブ１４より成る。このソックにはヘリウムガス３０が充填されるが、これは低温端部で約４．２Ｋ、高温端部で室温である。コールドヘッドの第１段スリーブ１２は、例えば４０Ｋ−８０Ｋの中間温度で熱を抽出するためにソック２２の中間熱ステーションに接続され、この中間熱ステーションにスリーブ１４が接続されている。コールドヘッドの第２段２４は、ヘリウムガス再凝縮器２６に接続されている。首部を介する伝導により熱が発生し、熱放射シールド４２からだけでなく他の任意の熱源、例えば磁石用機械式懸架システム（図示せず）、浴に液体を充填するための保守用首部（図示せず）、計器配線アクセス手段、ガス脱出ルートなどから熱が放射される。放射シールド４２は、ヘリウム浴と真空容器の外壁との間に配置される。
【０００４】
コールドヘッドの第２段は、約４．２Ｋで再凝縮器として働く。周囲のヘリウムガスよりもわずかに低温であるため、その表面（表面積を増加するためフィンを設けることができる）上にガスが凝縮され、液体リザバー内へ滴下する。凝縮により局部的に圧力が低下するため、さらに多くのガスが第２段の方へ引き寄せられる。計算ではヘリウムの自然対流による損失はほとんど存在しないことになっているが、これは、コールドヘッドとソックとが垂直に向けられている（高温端部が上方に向いている）場合は実験的に検証されている。ギフォード‐マクマホン冷却器と壁との間に温度分布に差があれば、たとえそれが小さなものであっても、温度によるガス密度変化が大きいため（例えば、４．２Ｋで密度が１６ｋｇ／ｍ3、３００Ｋで密度が０．１６ｋｇ／ｍ3）、重力によるガスの対流が生じる。この対流により、ソックの壁と冷凍装置との間で温度分布が平衡する傾向がある。残りの熱損失が軽微である。図１Ａはコールドヘッド３２、３４が定位置にない対応の図である。さらに詳細には、中間セクション２２に、スリーブ１４で取り囲まれた空間からヘリウムガスが流出できるようにする通路３８を示す。後者の空間は、磁石２０が配置される主要浴３６と流体連通関係にある。さらに、真空容器１６へソックを固着し易くするためにスリーブ１２に設けたフランジ４０を示す。
【０００５】
この装置が傾くと、自然対流により大きな損失が生じる。この問題の解決法は、三菱への米国特許第５，５８３，４７２号に記載されている。しかしながら、この特許は垂直に向けられているかまたは垂線に対して角度が小さい（３０度未満）装置に関するものであるため、このことはさらに論じられていない。
【０００６】
パルスチューブ型冷凍装置（ＰＴＲ）は、４．２Ｋ（通常圧力における液体ヘリウムの沸点）またはそれ以下の温度で有用な冷却を行えることが示されている(C. Wang and P.E. Gifford, Advances in Cryogenic Engineering, 45, Edited by Shu et al., KluwerAcademic/Plenum Publishers, 2000, pp.1-7)。パルスチューブ型冷凍装置は魅力的であるが、その理由は、冷凍装置の低温部分に可動部品がないため振動が小さく、冷凍装置の摩耗が少ないからである。図２を参照すると、該図は、別個のチューブが熱ステーションで接合された構成のＰＴＲ５０を示す。各段に１つの熱交換器チューブ５２、５４が設けられているが、これらには異なる形状の固体材料（例えば、メッシュ、充填状態の球体、粉末）が充填されている。これらの材料は熱バッファとして働き、熱をＰＴＲの作動流体（通常は圧力が１．５−２．５ＭＰａのヘリウムガス）と熱交換する。各段に１つのパルスチューブ５６、５８が設けられているが、これらは中空で作動流体の膨張及び圧縮のために使用される。２段ＰＴＲでは、第２段のパルスチューブ５６は通常、第２段６０を室温の高温端部６２とリンクさせ、第１段のパルスチューブ５８は第１段６４を高温端部とリンクさせる。
【０００７】
真空中において最適条件の下で働くＰＴＲには通常、チューブの横断方向において、またソックの定常温度分布とは有意に異なる温度分布が生じることが判明している。これを図３に示す。
【０００８】
図４は、従来技術の別のパルスチューブ型冷凍装置であって、パルスチューブがソックに挿入され、ヘリウム雰囲気に露出されて、第１及び第２段に重力による対流７０、７２が発生する装置を示す。ＰＴＲユニット５０には、外側真空容器１６の凹部にセットされた低温段３１、３３が設けられている。放射シールド４２は第１のスリーブの端部２２と熱接触関係にある。図示のように、再凝縮器２６は第２段の端壁３３上にある。別々のコンポーネントに所与の高さで温度差がある場合、温度が高い方のコンポーネントは周りのヘリウムを加熱して浮力を与えるためヘリウムが上昇するが、温度が低い方のコンポーネントはガスを冷却するためガスは降下する。その結果、１バールのヘリウムガスの密度差は４．２Ｋと３００Ｋとの間で約１００倍変化するため、巨大な熱損失が生じる。ＰＴＲの正味冷却能力は、例えば、５０Ｋで４０Ｗ、４．２Ｋで０．５Ｗ乃至１Ｗである。計算によると、これらの損失は５−２０Ｗのオーダーであることが判明している。一般的に、パルスチューブの内部作動プロセスが影響を受けるが、これはＧＭ冷凍装置では起こらない。ＰＴＲでは、最適性能の基礎となるチューブの最適温度分布は多くのパラメータ、例えば、全てのチューブの幾何学的形状、流れ抵抗、速度、熱伝達係数、弁の設定などの作用をバランスさせる微妙なプロセスにより生じる(Ray Radebaugh, proceedings of the 6th International Cryogenic Engineering Conference, Kitakyushu, Japan, 20-24 May, 1996, pp.22-44に説明されている)。
【０００９】
従って、真空中では可能であるが、ヘリウム雰囲気中では、ＰＴＲは必ずしも温度４Ｋに到達しない。しかしながら、ＰＴＲは、中実の壁部を介して４Ｋと熱接触する真空ソックに挿入した場合、通常の動作を行う。かかる解決法は、ＧＭ冷凍装置についてGEのWilliam E. Cohenへの米国特許第５，６１３，３６７号に記載されているが、ＰＴＲの使用は可能であり簡単であろう。しかしながら、４Ｋのコールドヘッドの熱接触により熱インピーダンスが発生し、これが利用可能な冷凍能力を事実上減少させるという問題がある。一例として、インジウムワッシャーで作製した最新式熱ジョイントを用いると、４Ｋで０．５Ｋ／Ｗの熱接触抵抗が得られる（GEの米国特許第５，９１８，４７０号を参照）。極低温冷凍装置が４．２Ｋで１Ｗを吸収できる場合（例えば、住友重工業のモデルＲＤＫ  ４０８）、再凝縮器の温度は４．７Ｋに上昇し、これが超伝導ワイヤーの電流搬送能力を劇的に減少させる。あるいは、ジョイントの遠隔側で冷却能力を利用できるようにするべく最初に３．７Ｋで１Ｗを発生するためには、さらに強力な極低温冷凍装置が必要であろう。
【００１０】
図５は、かかるＰＴＲ装置７６の一例を示す。このコンポーネントは図４に示したものと実質的に同一である。ＰＴＲのコールドヘッドの第２段とフィンを設けた熱シンク８０との間には、熱ワッシャー７８が設けられている。熱ワッシャーと熱シンクとの間にはヘリウムを通さない気密の壁が設けられている。
【発明の目的】
【００１１】
本発明の目的は、改良型パルスチューブ冷凍装置を提供しようとするものである。
【発明の概要】
【００１２】
本発明の第１の局面によると、極低温装置内のパルスチューブ型冷凍装置（ＰＴＲ）であって、ＰＴＲは、第１の端部が室温にさらされ、第２の端部が極低温流体と連携するように配置するための極低温装置のハウジングに連携する挿入ソック内で作動可能であり、ＰＴＲのチューブは断熱スリーブにより取り囲まれているパルスチューブ型冷凍装置が提供される。スリーブは、第１と第２の部分に分かれているのが好ましく、第１の部分は高温端部から第一段への領域を覆い、好ましくは小さい直径の第２の部分は第一段と低温端部の第二段との間を延びる。挿入ソックは、ＰＴＲの真空外壁にアクセスポートを有し、第２のスリーブは、パルスチューブの全てのチューブを取り囲んでスリーブとソックの壁部との間に小さな環状ギャップだけを形成する内側スリーブ（内側ソック）を構成する。これらのスリーブは、ヘリウムガスの漏洩を防止するべく拡散のない構造にするための金属製ライナーを備えるとよい薄ゲージのステンレス製チューブまたは、例えばチタン、ＧＲＰ、ＣＦＲＰのような複合材料のような他の適当な材料と同じかそれとは異なる材料で形成することができる。第２のスリーブとＰＴＲのチューブとの間の空間は、対流による熱伝達を減少させるために内側を排気するのが好ましい。スリーブは、溶接またはろう付けのような従来式接合法によりフランジに接合することができる。
【００１３】
その別の壁部の伝導によるさらに別の熱負荷は、スタティックなヘリウムコラムによる熱伝導を減少することにより部分的に補償することが可能である。かかるヘリウムコラムは、対流を考慮しないと１−２Ｗの熱損失を導入することがある。二段に分かれた組立体では、第１及び第２の部分は通常、第１段の貫通通路により結合され、排気を容易にする単一空間を提供する。
【００１４】
従って、本発明によると、ＰＴＲ内の対流による問題は、熱伝達特性を損なうとして知られている熱接触部または同様な部分の導入により、第二段の熱伝達を犠牲にすることなく実質的に軽減または克服することができる。
【実施例】
【００１５】
本発明実施のために発明者が考えた最適モードを、一例として説明する。以下の説明において、多数の特定の詳細事項は本発明の完全な理解を図ろうとするものである。しかしながら、当業者には、本発明は特定の実施例の変形例により実施可能であることが明らかであろう。
【００１６】
図６を参照して、該図は本発明の第１の実施例であり、ＰＴＲ９０は、コールドヘッド６２の高温端部と第一段３４との間及び第一段３４と第二段２４との間で周りの二重スリーブ組立体１２、１１２；１４、１１４によりそれぞれ断熱されたチューブを有する。
【００１７】
第二段のスリーブは第一段のスリーブに比べて小さい直径でよい。スリーブの壁部１２、１４、１１２、１１４は二重壁でよく、製造時に、例えば、真空ろう付けまたは電子溶接ビームのような真空プロセスにおいてそれらを接合することにより排気してもよい。かかる場合、別個の排気プロセスは不要であり、ポートを取り付ける必要がなく、部品の複雑さが最小限に抑えられる。あるいは、別の例として、製造後に、別個の排気ポート（図示せず）を取り付けることによって排気することが可能である。スリーブは装置の全てのチューブを取り囲み、それらの間に小さな環状ギャップだけが形成される。磁石装置の真空容器の外壁を参照番号１６で示すが、壁７４を有するヘリウム浴内の磁石は参照番号２０で示す。放射シールド４２は第一段３４に熱接触部２２を介して固着される。上述したように、フィン付きのヘリウム再凝縮器７６が設けられている。図６Ａは、外側ソック及び外側ソックの外側のコンポーネントのない状態の図６の構成を示す。
【００１８】
図７は、高温端部としても知られるコールドヘッドと第一段との中間部分の水平断面図である。パルスチューブ及び再凝縮チューブを参照番号５２、５６、５８で示す。スリーブの壁部は、ヘリウムの漏洩を防止すべく拡散のない構造にするために、恐らく、金属ライナーを備えた、薄ゲージのステンレス製チューブまたはチタン、ＧＲＰ、ＣＦＲＰのような複合物の他の適当な材料で製造することができる。内側ソック１１２内の空間９８は、熱対流損失を回避するために排気される。このチューブは、溶接またはろう付けのような従来式接合技術によりコールドヘッド及び第一及び第二段に連携するフランジに接合される。図８は、第二段のパルスチューブ５４及び再凝縮器チューブ５６の下方端部の断面図である。溶接またはろう付けした真空漏れのない接合部を９６で示す。
【００１９】
スリーブ１１２、１１４の内部の真空度は、好ましくは低温端部においてゲッター物質（例えば、活性炭、チューブの周りに巻くことができるカーボン紙、ゼオライトなど）を挿入することにより増加することができる。断熱特性は、図９Ａに示すように、超断熱フォイル９１を真空空間内に配置することにより増加することができる。
【００２０】
チューブ間の断熱空間は製造時は排気されず、空気が存在する。冷却時に、空気が凝縮して、最終的にコールドヘッドの低温端部（４．２Ｋ）の方へ凍結する。ゲッター物質をこの環境内に配置することが可能であるが、これは断熱空間内の雰囲気の圧力を減少する上で特に有用である。断熱特性がある程度犠牲にされるが、これは真空ラインまたは真空プロセスが不要で製造コストが減少するということで帳消しである。
【００２１】
図９Ｂ、Ｃ及びＤは、それぞれ異なる機械的構成の真空スリーブを示す。明解を期するために、これらの図は第一段と第二段の間のスリーブだけを示す。スリーブの壁厚は熱伝導を減少させるために最小限に抑える必要がある。外側のヘリウム圧力（動作モード時で通常は１バール乃至３バール）による座屈を回避するために、幾つかの方法で（通常は図９Ｂ及びＣに示すように壁９３、９４を波形にすることにより）補強を行うことが可能であるが、図９Ｄに示すように別の強化手段９０を設けてもよい。
【００２２】
同程度の断熱は得られないが、真空スリーブと同じ構成のチューブ間に非真空断熱方式を適用することも可能である。かかる充填物を配置すると座屈に対する大きな抵抗力が得られる。図１０Ａに示すように、パルスチューブ及び再凝縮器チューブは断熱材料で取り囲むことができる。断熱材料としては、例えば、Cryo-lite CompanyのCryofoamのようなプラスチック発泡材料１０２、ポリウレタンフォーム、ガラス繊維断熱材料、フェルトなどがある。かかる発泡材料は、現場でチューブ構造の周りで膨張させることができる。図１０Ｂは、非真空スリーブまたは低真空スリーブに、例えば、パーライトのような粉末状断熱材料または中空ガラス球１０４のような断熱材料を緩く充填し、内部を排気するか、例えば、スパッタリングしたアルミニウムのような反射性フィルムで覆って放射を減少させる場合を示す。
【００２３】
個々のチューブは互いに異なる態様で断熱し、断熱と部分的な断熱とを任意に組み合わせてもよい。例えば、第一段は真空断熱材料で覆い、第二段は発泡性断熱材料で覆うようにしてもよい。また、一部の例では、第一段または第二段だけを断熱すれば十分な場合がある。
【００２４】
４Ｋのほとんどの例は二段冷却器で動作するが、同じ技術を単一段冷却器または三段またはそれ以上の段を有する冷却器に適用することが可能である。
【図面の簡単な説明】
【００２５】
【図１】ＭＲＩ磁石における２段ギフォード‐マクマホンコールドヘッド型再凝縮器を示す。
【図１Ａ】図１の再凝縮器を再凝縮器チューブのない状態で示す。
【図２】二段ＰＴＲを示す。
【図３】ソック内の構成要素の温度分布を示す。
【図４】ソックに挿入されたパルスチューブを示す。
【図５】取り外し可能な熱接触部を有するパルスチューブの従来例を示す。
【図６】本発明のＰＴＲを示す。
【図６Ａ】図６のＰＴＲを外側ソックのない状態で示す。
【図７】図６に示す構成の第一段の中間部分の水平断面図である。
【図８】チューブの壁部を示す。
【図９Ａ】真空スリーブの１つの機械的構成を示す。
【図９Ｂ】真空スリーブの別の機械的構成を示す。
【図９Ｃ】真空スリーブのさらに別の機械的構成を示す。
【図９Ｄ】真空スリーブのさらに別の機械的構成を示す。
【図１０Ａ】断熱材料の一体型スリーブに取り囲まれたパルスチューブ及び再凝縮器チューブを示す。
【図１０Ｂ】断熱材料を緩く充填した非真空スリーブまたは低真空度スリーブを示す。
【図３】
2005506508.tif 000003
【国際公開パンフレット】
2005506508.tif 000004
2005506508.tif 000005
2005506508.tif 000006
2005506508.tif 000007
2005506508.tif 000008
2005506508.tif 000009
2005506508.tif 000010
2005506508.tif 000011
2005506508.tif 000012
2005506508.tif 000013
2005506508.tif 000014
2005506508.tif 000015
2005506508.tif 000016
2005506508.tif 000017
2005506508.tif 000018
2005506508.tif 000019
2005506508.tif 000020
2005506508.tif 000021
2005506508.tif 000022
2005506508.tif 000023
2005506508.tif 000024
2005506508.tif 000025
2005506508.tif 000026
2005506508.tif 000027
2005506508.tif 000028
2005506508.tif 000029
2005506508.tif 000030
2005506508.tif 000031
2005506508.tif 000032
【国際公開パンフレット（コレクトバージョン）】
2005506508.tif 000033
2005506508.tif 000034
【手続補正書】
【提出日】平成15年12月8日(2003.12.8)
【手続補正１】
【補正対象書類名】特許請求の範囲
【補正対象項目名】全文
【補正方法】変更
【補正の内容】
【特許請求の範囲】
【請求項１】
極低温装置内のパルスチューブ型冷凍装置ＰＴＲ（９０）であって、ＰＴＲは、第１の端部（６２）が室温にさらされ、第２の端部（２４）が極低温流体と連携するように配置するための極低温装置のハウジングに連携する挿入ソック内で作動可能であり、挿入ソックは内側スリーブ（１１２、１１４）と外側スリーブ（１２、１４）とより成り、ＰＴＲのチューブは内側スリーブにより取り囲まれ、ＰＴＲのチューブと内側スリーブ（１１２、１１４）とは１つのユニットとして外側スリーブ（１２、１４）から分離可能であることを特徴とするパルスチューブ型冷凍装置。
【請求項２】
二段の再凝縮器であり、各スリーブが２つの部分に分かれているため各段が別個に断熱される請求項１のＰＴＲ再凝縮器。
【請求項３】
内側スリーブがパルスチューブの全てのチューブを取り囲み、内側スリーブ（１１２、１１４）と外側スリーブ（１２、１４）との間に小さな環状ギャップだけを形成する請求項１または２のＰＴＲ再凝縮器。
【請求項４】
内側スリーブが薄壁のステンレススティール製チューブ、チタンまたはＧＲＰ、ＣＦＲＰのような複合材料で製造されている請求項１乃至３のうち任意の一項のＰＴＲ再凝縮器。
【請求項５】
内側スリーブはＧＲＰ、ＣＦＲＰのような複合材料で製造され、金属製ライナーで内張りされている請求項１−３のうち任意の一項のＰＴＲ再凝縮器。
【請求項６】
内側スリーブ内の空間は真空状態にある請求項１−５の任意の一項のＰＴＲ再凝縮器。
【請求項７】
内側スリーブ内のパルスチューブと再凝縮器チューブとの間の空間には断熱材料が充填されている請求項１−５のうち任意の一項のＰＴＲ再凝縮器。
【請求項８】
内側スリーブは二重壁のスリーブより成る請求項１−７のうち任意の一項のＰＴＲ再凝縮器。
【請求項９】
２つの壁部の間の空間は排気されている請求項８のＰＴＲ再凝縮器。
【請求項１０】
２つの壁部の間の空間には充填材料が充填されている請求項８のＰＴＲ再凝縮器。
【請求項１１】
スリーブの壁部は波形である請求項１−１０のうち任意の一項のＰＴＲ再凝縮器。
【請求項１２】
スリーブは、超断熱材料、薄断熱材料、発泡材料などより成る群から選択された材料により構成され、剛性チューブの周りに配置されている請求項１−３のうち任意の１項のＰＴＲ再凝縮器。
【請求項１３】
磁気共鳴イメージング装置に連携している請求項１−１２のうち任意の一項のパルスチューブ型冷凍装置。
【請求項１４】
極低温装置内に設けられ、第１の端部（６２）が室温にさらされ、第２の端部（２４）が極低温流体と連携するように配置するための極低温装置のハウジングに連携する挿入ソック内で作動可能であり、そのチューブが内側スリーブ（１１２、１１４）により取り囲まれ、内側スリーブとＰＴＲのチューブとは１つのユニットとして取り外し可能であるパルスチューブ冷凍装置ＰＴＲ（９０）を用いる方法であって、ＰＴＲのコンポーネントを断熱してＰＴＲのチューブから生じる熱損失を減少させるステップより成る方法。
【請求項１５】
各スリーブ（１２、１４、１１２、１１４）は２つの部分に分割されている請求項１４の方法。
【請求項１６】
内側スリーブ（１１２、１１４）はパルスチューブの全てのチューブを取り囲み、スリーブと外側スリーブ（１２、１４）の間に小さな環状ギャップだけが形成される請求項１４または１５の方法。
【請求項１７】
再凝縮器は磁気共鳴イメージング装置に連携している請求項１４乃至１６のうち任意の一項の方法。
【手続補正２】
【補正対象書類名】明細書
【補正対象項目名】００１２
【補正方法】変更
【補正の内容】
【００１２】
【発明の概要】
本発明の第１の局面によると、極低温装置内のパルスチューブ型冷凍装置ＰＴＲであって、ＰＴＲは、第１の端部が室温にさらされ、第２の端部が極低温流体と連携するように配置するための極低温装置のハウジングに連携する挿入ソック内で作動可能であり、挿入ソックは内側スリーブと外側スリーブとより成り、ＰＴＲのチューブは内側スリーブにより取り囲まれ、ＰＴＲのチューブと内側スリーブとは１つのユニットとして外側スリーブから分離可能であることを特徴とするパルスチューブ型冷凍装置が提供される。スリーブは、第１と第２の部分に分かれているのが好ましく、第１の部分は高温端部から第一段への領域を覆い、好ましくは小さい直径の第２の部分は第一段と低温端部の第二段との間を延びる。挿入ソックは、ＰＴＲの真空外壁にアクセスポートを有し、第２のスリーブは、パルスチューブの全てのチューブを取り囲んでスリーブとソックの壁部との間に小さな環状ギャップだけを形成する内側スリーブ（内側ソック）を構成する。これらのスリーブは、ヘリウムガスの漏洩を防止するべく拡散のない構造にするための金属製ライナーを備えるとよい薄ゲージのステンレス製チューブまたは、例えばチタン、ＧＲＰ、ＣＦＲＰのような複合材料のような他の適当な材料と同じかそれとは異なる材料で形成することができる。第２のスリーブとＰＴＲのチューブとの間の空間は、対流による熱伝達を減少させるために内側を排気するのが好ましい。スリーブは、溶接またはろう付けのような従来式接合法によりフランジに接合することができる。




【国際調査報告】
2005506508.tif 000035
2005506508.tif 000036
2005506508.tif 000037